(57)【要約】  アッパーフックとアッパーフックを固定する本体を備えたホイストであって、さらに重量測定装置を含み、当該重量測定装置には前記アッパーフックが受けた重力を表示できるディスプレーが設けられ、前記重量測定装置の第一端は前記アッパーフックに連結され、前記重量測定装置の第二端は前記アッパーフックを固定する本体に連結されていることを特徴としている。従来技術に比べ、本発明の利点として、アッパーフックとアッパーフックを固定する本体の間でフックが受けた重力を表示可能な重量測定装置を直列連結することにより、現在のホイストで重力表示がないことから容易に発生する超荷重現象、設備の損害、ひいては危険な安全事故を避けることができる。
2012524010.tif 000002
【特許請求の範囲】
【請求項１】
アッパーフック(1)とアッパーフックを固定する本体(3)とを備えたホイストであって、
さらに重量測定装置(2)を含み、
当該重量測定装置(2)には、前記アッパーフック(1)が受けた重力を表示できるディスプレー(23)が設けられ、
前記重量測定装置(2)の第一端は前記アッパーフック(1)に連結され、前記重量測定装置(2)の第二端は前記アッパーフックを固定する本体(3)に連結されている、ことを特徴とするホイスト。
【請求項２】
前記アッパーフック(1)は前記重量測定装置(2)の第一端に回転可能に連結され、
前記重量測定装置(2)の第二端は前記アッパーフックを固定する本体(3)に回転可能に連結されている、ことを特徴とする請求項1に記載のホイスト。
【請求項３】
前記重量測定装置(2)は、中空ハウジング(21)を含み、
当該中空ハウジング(21)内には重量測定センサーユニットが設けられ、
前記ディスプレー(23)と前記重量測定センサーユニットとは電気的接続され、
前記中空ハウジング(21)には前記ディスプレー(23)を取付けるための取付孔が設けられ、
前記重量測定センサーユニットの外部は金属カバーに包まれ、
前記金属カバーと重量測定センサーユニットとは一体形成部品(22)であり、
当該一体形成部品(22)の下連結部(221)には第一ピンホール(222)が設けられ、
当該第一ピンホール(222)内には第一ピン(31)が可動的に設けられ、
当該第一ピン(31)の両端は前記アッパーフックを固定する本体(3)内に固定され、
当該一体形成部品(22)の上連結部(223)内には第二ピンホール(224)が設けられ、
当該第二ピンホール(224)内には第二ピン(13)が可動的に設けられ、
当該第二ピン(13)の両端は前記アッパーフック(1)の連結部(12)内に固定されている、ことを特徴とする請求項2に記載のホイスト。
【請求項４】
前記アッパーフック(1)の連結部(12)は、U字型である、ことを特徴とする請求項3に記載のホイスト。
【請求項５】
前記重量測定装置(2)は、前記アッパーフックを固定する本体(3)のほか防振板(7)を通じて一体形成され、前記防振板(7)には前記ディスプレー(23)を取付けるための取付孔が設けられている、ことを特徴とする請求項1に記載のホイスト。
【請求項６】
前記アッパーフック(1)は、前記重量測定装置(2)と前記本体(3)から一体形成された部品に回転可能に連結されている、ことを特徴とする請求項5に記載のホイスト。
【発明の詳細な説明】
【技術分野】
【０００１】
本発明はクレーンに関わり、特にホイストに関する。
【背景技術】
【０００２】
ホイストはクレーンの一種として、手動ホイストと電動ホイストを含み、国民経済の各分野で広く使われている。しかし、今現在、国内外の各種の手動ホイストは吊上げるといった単一の機能のみを有し、吊上げられる物品の重さを量ることができない。そのため、使用過程において、吊上げる物品の重さは操作員の経験によって判断しており、ホイストの超負荷吊上げが発生しやすい。よって設備の損害及び事故が発生し易く、ひいては人身事故、財産の損失を引き起こす恐れがある。
【発明の概要】
【発明が解決しようとする課題】
【０００３】
本発明が解決しようとする技術課題は、従来技術の問題点に焦点をあて、吊上げられる物品の重力を表示できるホイストを提供することにある。
【課題を解決するための手段】
【０００４】
上述した技術問題を解決するために、本発明が採用した技術方案は下記の通りである。アッパーフックとアッパーフックを固定する本体を備えたホイストであって、さらに重量測定装置を含み、当該重量測定装置には前記アッパーフックが受けた重力を表示できるディスプレーが設けられ、前記重量測定装置の第一端は前記アッパーフックに連結され、前記重量測定装置の第二端は前記アッパーフックを固定する本体に連結されていることを特徴としている。
【０００５】
改良として、前記アッパーフックは前記重量測定装置の第一端に回転可能に連結され、前記重量測定装置の第二端は前記アッパーフックを固定する本体に回転可能に連結されている。
【０００６】
より好ましくは、前記重量測定装置は中空ハウジングを含み、当該中空ハウジング内には重量測定センサーユニットが設けられ、前記ディスプレーと前記重量測定センサーユニットは電気的接続され、前記中空ハウジングには前記ディスプレーを取付けるための取付孔が設けられ、前記重量測定センサーユニットの外部は金属カバーに包まれ、当該金属カバーと重量測定センサーユニットは一体部品となり、当該一体部品の下連結部には第一ピンホールが設けられ、当該ピンホール内には第一ピンが可動的に設けられ、当該第一ピンの両端は前記アッパーフックを固定する本体内に固定され、当該一体部品の上連結部内には第二のピンホールが設けられ、前記第二ピンホール内には第二ピンが可動的に設けられ、当該第二ピンの両端は前記アッパーフックの連結端内に固定されている。
【０００７】
前記アッパーフックの連結端はU字型が好ましい。
【０００８】
このほか、前記重量測定装置は前記アッパーフックを固定する本体のほか防振板を通じて一体形成部品に連結されることができ、前記防振板には前記ディスプレーを取付けるための取付孔が設けられている。
【０００９】
前記アッパーフックは前記重量測定装置及び前記アッパーフックを固定する本体からなる一体形成部品に回転可能に連結されている。
【００１０】
前記重量表示機能を備えたホイストは各種の手動ホイストに応用しても良く、各種の電動ホイストに応用しても良い。
【発明の効果】
【００１１】
従来技術に比べ、本発明の利点は、アッパーフックとアッパーフックを固定する本体の間でフックが受けた重力を表示可能な重量測定装置を直列連結することにより、現在のホイストで重力表示がないことから容易に発生する盲目的な超荷重現象、必要のない設備の損害、ひいては危険な安全事故を避けることができる。
【図面の簡単な説明】
【００１２】
【図１】本発明の第一実施形態に係るレバーホイストの立体構造概略図である。
【図２】本発明の第一実施形態に係るレバーホイストの立体分解図である。
【図３】本発明の第二実施形態に係るレバーホイストの立体構造概略図である。
【図４】本発明の第二実施形態に係るレバーホイストの立体分解図である。
【発明を実施するための形態】
【００１３】
以下、図面を参照しながら本発明の実施形態についてさらに詳しく説明する。
【実施例１】
【００１４】
図1と図2を参照されたい。本実施形態ではアッパーフック1、重量測定装置2、機体3、操作レバー4、チェーン5、アンダーフック6を備えるチェーン型レバーホイストを提供しており、そのうち、機体3はアッパーフックを固定する本体としても機能しており、機体3の内部には前記チェーンと連結している歯車伝動機構、制動器等が設けられ、操作レバー4は機体の一側に設置され、アンダーフック6はチェーン5の一側に設置されている。
【００１５】
本実施形態において、重量測定装置2は中空ハウジング21、重量測定センサーユニットとディスプレー23を備え、重量測定センサーユニットの外部は金属カバーに包まれ、当該金属カバーと重量測定センサーユニットは一体部品22となり、当該一体部品22は前記中空ハウジング21内に置かれ、前記ディスプレー23と前記重量測定センサーユニットとは電気的接続され、前記中空ハウジングには前記ディスプレー23を取付けるための取付孔が設けられている。
【００１６】
本実施形態において、重量測定センサーユニットは従来技術における通常の電子式重量測定センサー又は機械式重量測定センサーを採用することができ、重量単位は具体的な重量測定センサーユニットによってキログラム、トン、ポンド、ニュートン、kn等に分けることができる。
【００１７】
前記アッパーフック１はフック部11と連結部12を含み、フック部11と連結部12の間は360℃回転可能に連結することができ、連結部12全体は前記中空ハウジング21内に位置し、連結部12の末端はU字型に設計される。前記中空ハウジング21の第一端には前記連結部が可動的に貫通可能な貫通孔211が設けられ、前記一体部品22の下連結部221内には第一ピンホール222が設けられ、第一ピンホール222内には第一ピン31が可動的に設けられ、当該第一ピン31の両端は前記機体3内に固定されている。前記一体部品22の上連結部２２３内には第二ピンホール224が設けられ、当該第二ピンホール224内には第二ピン13が可動的に設けられ、当該第二ピン13の両端は前記アッパーフックのU字型連結部12内に固定されている。
【実施例２】
【００１８】
図3と図4に示されているように、本第二実施形態と第一形態の異なる点は、重量測定装置2の外部に中空ハウジングを設けていないものの、前記重量測定装置2と前記機体3は四枚の防振板7を通じて一体部品に連結され、四枚の防振板7が中空のハウジングを形成し、前記防振板には前記ディスプレー23を取付けるための取付孔が設けられている。
【図１】
2012524010.tif 000003
【図２】
2012524010.tif 000004
【図３】
2012524010.tif 000005
【図４】
2012524010.tif 000006
【国際調査報告】
2012524010.tif 000007
2012524010.tif 000008
2012524010.tif 000009
2012524010.tif 000010
2012524010.tif 000011
2012524010.tif 000012